(57)【要約】【課題】  光ＩＰネットワークにおいて、下位レイヤのリソース・属性を考慮したパスの確立を行う。【解決手段】  中継ノード装置１００が下位レイヤのパスのリソース・属性情報を広告し、発信者ノード装置２００がこの情報を基に、上位レイヤに要求するパス要求条件を含めた第２のパス要求情報を生成し、中継ノード装置１００に送信する構成とした。また、中継ノード装置１００が下位レイヤのパスのリソース・属性詳細情報（属性の特性詳細情報）を広告し、発信者ノード装置２００がこの情報に基づいて（考慮して）上位レイヤに要求するパス要求条件と下位レイヤに要求するパス要求条件の双方を含めた第２のパス要求情報を生成し、中継ノード装置１００に送信する構成とした。【選択図】      図１
2005252405.tif 000002
【特許請求の範囲】
【請求項１】
光ＩＰネットワークを構成する発信者ノード装置と着信者ノード装置と中継始点ノード装置と中継終点ノード装置とを含む複数の中継ノード装置とこれらの中継ノード装置より構成される中継ネットワークと、を有し、前記発信者ノード装置と前記着信者ノード装置との間にマルチレイヤリソース・属性広告を行うネットワークにおいて、
前記中継ノード装置が、
下位レイヤ側の構成として、
前記光ＩＰネットワークにおいて下位レイヤのパス確立を行うためのパス要求条件に基づいて第１のパス要求情報を生成するパス要求情報生成手段と、
前記生成された第１のパス要求情報を隣接する中継ノード装置に送信するパス要求情報送信手段と、
前記要求条件に応じて前記パスを確立されるパス確立手段と、
前記確立されたパスのリソース・属性を広告するリソース・属性広告手段とを備え、
かつ、上位レイヤ側の構成として、
前記リソース・属性広告の内容を基にパス確立を行うための第２のパス要求情報を前記発信者ノード装置から受信するパス要求情報受信手段と、
前記受信されたパス要求情報に基づいてパスが確立可能かを確認するパス確立確認手段と、
前記受信した第２のパス要求情報を隣接する中継ノード装置に送信するパス要求情報送信手段と、
前記第２のパス要求情報に応じて前記パスを確立させるパス確立手段とを備え、
前記発信者ノード装置が、
前記リソース・属性広告の内容に基づくパス要求条件を含めた前記第２のパス要求情報を生成するパス要求情報生成手段と、
前記生成された第２のパス要求情報を隣接する中継ノード装置に送信するパス要求情報送信手段と、
前記第２のパス要求情報に係るパス要求条件に応じて前記パスを確立させるパス確立手段とを備え、
前記着信者ノード装置が、
前記第２のパス要求情報を前記中継ノード装置から受信するパス要求情報受信手段と、
前記受信された第２のパス要求情報に基づいてパスが確立可能かを確認するパス確立確認手段と、
前記確認した後、前記第２のパス要求情報に応じて前記パスを確立させるパス確立手段とを備えること、
を特徴とするマルチレイヤリソース・属性広告を行う光ＩＰネットワーク。
【請求項２】
前記第２のパス要求情報は、下位レイヤのリソース・属性の特性詳細情報を含むことを特徴とする請求項１に記載のマルチレイヤリソース・属性広告を行う光ＩＰネットワーク。
【請求項３】
前記第２のパス要求情報は、下位レイヤのリソース・属性の特性の識別情報を含むことを特徴とする請求項１に記載のマルチレイヤリソース・属性広告を行う光ＩＰネットワーク。
【請求項４】
前記中継ノード装置が、
前記下位レイヤのパス確立手段によりパスが確立された後、マルチレイヤネットワークに対して広告するリソース・属性内容をある定義に基づき検討する広告内容検討手段を備えたことを特徴とする請求項１に記載のマルチレイヤリソース・属性広告を行う光ＩＰネットワーク。
【請求項５】
前記中継ノード装置が、
前記リソース・属性広告手段にて下位レイヤのリソース・属性の特性詳細情報を広告する構成を備えたことを特徴とする請求項２に記載のマルチレイヤリソース・属性広告を行う光ＩＰネットワーク。
【請求項６】
前記中継ノード装置が、
前記パス確立確認手段にて、前記第２のパス要求情報に含まれる上位レイヤと下位レイヤの要求条件内容を把握する構成を備えたことを特徴とする請求項２に記載のマルチレイヤリソース・属性広告を行う光ＩＰネットワーク。
【請求項７】
前記中継ノード装置が、
前記リソース・属性広告手段にて下位レイヤのリソース・属性を考慮したリソース・属性識別情報を広告する構成を備えたことを特徴とする請求項３に記載のマルチレイヤリソース・属性広告を行う光ＩＰネットワーク。
【請求項８】
前記中継ノード装置が、
前記パス要求情報受信手段により発信者ノード装置からの第２のパス要求情報を受信し、パス要求に含まれる識別情報から下位レイヤのリソース・属性要求条件を検索する構成を備えたことを特徴とする請求項３に記載のマルチレイヤリソース・属性広告を行う光ＩＰネットワーク。
【請求項９】
中継始点ノード装置と中継終点ノード装置とを含む複数の中継ノード装置より構成される中継ネットワークと、発信者ノード装置と、着信者ノード装置と、を有し、前記発信者ノード装置と前記着信者ノード装置との間にマルチレイヤリソース・属性広告を行う光ＩＰネットワークにおける中継ノード装置であって、
下位レイヤ側の構成として、
前記リソース・属性広告をするための下位レイヤのパス確立を行う第１のパス要求情報をパス要求条件に基づいて生成するパス要求情報生成手段と、
前記生成された第１のパス要求情報を隣接する中継ノード装置に送信するパス要求情報送信手段と、
前記パス要求条件に応じて前記パスを確立されるパス確立手段と、
前記確立されたパス内容を広告するリソース・属性広告手段を備え、
かつ、上位レイヤ側の構成として、
前記リソース・属性広告の内容を基にパス確立を行うための第２のパス要求情報を前記発信者ノード装置から受信するパス要求情報受信手段と、
前記受信された第２のパス要求情報に基づいてパスが確立可能かを確認するパス確立確認手段と、
前記受信した第２のパス要求情報を隣接する中継ノード装置に送信するパス要求情報送信手段と、
前記第２のパス要求情報に応じて前記パスを確立させるパス確立手段と、
を備えることを特徴とする中継ノード装置。
【請求項１０】
中継始点ノード装置と中継終点ノード装置とを含む複数の中継ノード装置より構成される中継ネットワークと、発信者ノード装置と、着信者ノード装置と、を有し、前記発信者ノード装置と前記着信者ノード装置との間にマルチレイヤリソース・属性広告を行う光ＩＰネットワークにおける発信者ノード装置であって、
前記中継ノード装置が送信するリソース・属性広告の内容に基づくパス要求条件を含めた第２のパス要求情報を生成するパス要求情報生成手段と、
前記生成された第２のパス要求情報を隣接する中継ノード装置に送信するパス要求情報送信手段と、
前記第２のパス要求情報に係るパス要求条件に応じて前記パスを確立させるパス確立手段と、
を備えることを特徴とする発信者ノード装置。
【請求項１１】
中継始点ノード装置と中継終点ノード装置とを含む複数の中継ノード装置より構成される中継ネットワークと、発信者ノード装置と、着信者ノード装置と、を有し、前記発信者ノード装置と前記着信者ノード装置との間にマルチレイヤリソース・属性広告を行う光ＩＰネットワークにおける着信者ノード装置であって、
前記発信者ノード装置が生成した第２のパス要求情報を前記中継ノード装置から受信するパス要求情報受信手段と、
前記受信された第２のパス要求情報に基づいてパスが確立可能かを確認するパス確立確認手段と、
前記確認後、前記第２のパス要求情報に応じて前記パスを確立させるパス確立手段とを備えること、
を特徴とする着信者ノード装置。
【請求項１２】
少なくとも中継始点ノード装置と中継終点ノード装置とを含む中継ネットワークと、発信者ノード装置と、着信者ノード装置と、を有し、前記発信者ノード装置と前記着信者ノード装置との間にマルチレイヤリソース・属性広告を行う光ＩＰネットワークにおけるパス確立方法であって、
前記発信者ノード装置が、
前記中継始点ノード装置がパス要求情報生成手段によって生成して前記中継終点ノード装置に送信する第１のパス要求情報に基づいて確立される下位レイヤのパスに関するリソース・属性広告を受信手段により受信する手順、
前記受信したリソース・属性広告の内容に基づくパス要求条件を含めた第２のパス要求情報を前記中継始点ノード装置に送信する手順、
を実行することにより、
前記中継ネットワークにおいて、前記第２のパス要求情報に基づくパスを確立するように構成したこと、
を特徴とするパス確立方法。
【発明の詳細な説明】
【技術分野】
【０００１】
本発明は、マルチレイヤネットワークにおいて、下位レイヤのリソースを有効利用するために、下位レイヤのリソース・属性を広告し、広告された内容を考慮したパス要求を可能とする光ＩＰネットワークなどに関する。
【背景技術】
【０００２】
光ＩＰネットワークの信頼性向上のため、各リンクのプロテクション＆リストレーション状況を広告し、その広告内容を考慮したパス設定方法が知られている（例えば、非特許文献１と非特許文献２参照）。
【０００３】
【非特許文献１】Ｌ．Ｂｅｒｇｅｒ，Ｇｅｎｅｒａｌｉｚｅｄ Ｍｕｌｔｉ−Ｐｒｏｔｏｃｏｌ Ｌａｂｅｌ Ｓｗｉｔｃｈｉｎｇ（ＧＭＰＬＳ） Ｓｉｇｎａｌｉｎｇ Ｆｕｎｃｔｉｏｎａｌ Ｄｅｓｃｒｉｐｔｉｏｎ， ＲＦＣ３４７１
【非特許文献２】Ｋ．Ｋｏｍｐｅｌｌａ ｅｔ ａｌ， Ｒｏｕｔｉｎｇ Ｅｘｔｅｎｔｉｏｎ ｉｎ Ｓｕｐｐｏｒｔ ｏｆ Ｇｅｎｅｒａｌｉｚｅｄ Ｍｕｌｔｉ−Ｐｒｏｔｏｃｏｌ Ｌａｂｅｌ Ｓｗｉｔｃｈｉｎｇ，ｄｒａｆｔ−ｉｅｔｆ ｃｃａｍｐ−ｇｍｐｌｓ−ｒｏｕｔｉｎｇ．
【発明の開示】
【発明が解決しようとする課題】
【０００４】
しかしながら、光ＩＰネットワークはマルチレイヤネットワークであるため、現在の規定ではマルチレイヤを考慮した広告内容にはなっていない。このため、下位レイヤが“１＋１ Ｌｉｎｋ Ｐｒｏｔｅｃｔｉｏｎ”になっているか“Ｕｎｐｒｏｔｅｃｔｅｄ”になっているかを広告することができず、“１＋１ Ｐａｔｈ ｐｒｏｔｅｃｔｉｏｎ” ＋“１＋１ Ｌｉｎｋ ｐｒｏｔｅｃｔｉｏｎ”の特性をもつ下位レイヤのＬＳＰと“１＋１ Ｐａｔｈ Ｐｒｏｔｅｃｔｉｏｎ”の特性をもつ下位レイヤのＬＳＰが上位レイヤにおいては同一のＬｉｎｋとして広告されるため、パス設定により下位レイヤが期待していない、例えば４重のリソースを提供する可能性があり、効率的なリソース利用の点から問題がある。
【０００５】
本発明は、このような従来の課題を解決するためになされたものであり、下位レイヤのリソース・属性を広告することにより、光ＩＰネットワークにおいて、効率的なリソース利用を実現するものである。
【課題を解決するための手段】
【０００６】
前記課題を解決した本発明（請求項１）は、中継ノード装置が下位レイヤのパスのリソース・属性情報を広告し、発信者ノード装置がこの情報を基に、上位レイヤに要求するパス要求条件を含めた第２のパス要求情報を生成し、中継ノード装置に送信する構成とした。
【０００７】
後記する第１の実施形態（請求項１に対応）では、発信者ノード装置および着信者ノード装置と、中継始点ノード装置と中継終点ノード装置を含む複数のノード装置よりなる中継ネットワークを有し、前記発信者ノード装置と着信者ノード装置との間にマルチレイヤリソース・属性広告を行うネットワークに関し、例えば、下位レイヤのパスを確立するため、（ａ）前記中継始点ノード装置が、（ａ１）下位レイヤのパス確立を行うための第１のパス要求情報をパス要求情報生成手段で生成し、（ａ２）前記生成された第１のパス要求情報をパス要求情報送信手段で中継ネットワークの隣接ノード装置に送信し、（ｂ）中継ノード装置が、（ｂ１）前記中継始点ノード装置からの第１のパス要求情報をパス要求情報受信手段で受信し、（ｂ２）前記受信した第１のパス要求情報に基づいて前記パス確立が可能かをパス確立確認手段で確認し、（ｂ３）前記確認後、パス要求情報送信手段で第１のパス要求情報を隣接する中継ノード装置に送信し、（ｂ４）前記第１のパス要求情報に応じてパス確立手段でパスを確立し、（ｂ５）前記パスが確立された後、広告内容検討手段でマルチレイヤネットワークに対して広告するリソース・属性内容をある定義に基づき検討し、（ｂ６）前記検討したリソース・属性内容（リソース・属性情報）をリソース・属性広告手段で広告する。これらの手順で、中継ネットワークに下位レイヤのパスが確立される。なお、後記する第１の実施形態では、リソース・属性広告の内容は上位レイヤと下位レイヤのマルチレイヤ構成にはなっておらず、シングルレイヤ構成である。次に、（ｃ）前記発信者ノード装置は、（ｃ１）リソース・属性広告手段により広告されたリソース・属性情報を基に、パス要求情報生成手段で上位レイヤに要求する要求条件を含めた第２のパス要求情報を生成し、（ｃ２）前記生成された第２のパス要求情報をパス要求情報送信手段で隣接する中継ノード装置に送信し、（ｄ）前記中継ノード装置は、（ｄ１）前記発信者ノード装置から第２のパス要求情報をパス要求情報受信手段で受信し、（ｄ２）前記受信された第２のパス要求情報に基づいてパス確立確認手段でパスが確立可能かを確認し、（ｄ３）パス要求情報送信手段で確立することが可能と確認された第２のパス要求情報を隣接する中継ノード装置あるいは着信者ノード装置に送信し、（ｅ）前記着信者ノード装置は、（ｅ１）前記第２のパス要求情報をパス要求情報受信手段で前記中継ノード装置から受信し、（ｅ２）前記受信された第２のパス要求情報に基づいてパスが確立可能かをパス確立確認手段で確認し、（ｅ３）前記第２のパス要求情報に応じてパス確立手段でパスを確立し、（ｆ）前記中継ノード装置は、着信者ノード装置のパス確立をうけ、パス確立手段でパスを確立させ、（ｇ）前記発信者ノード装置は、（ｇ）中継ノード装置のパス確立をうけ、パス確立手段でパスを確立させる。
【０００８】
この構成により、発信者ノード装置は、マルチレイヤネットワークを考慮したパス要求情報を含んだパス設定要求（第２のパス要求情報の生成・送信）を行うことにより、コアネットワークのリソース・属性情報を考慮したパス確立が可能である。なお、ある定義に基づいたリソース・属性広告のみのため、発信者ノード装置はマルチレイヤネットワークの全リソース・属性情報（属性詳細）を把握しているわけではない（把握する必要がない）。
【０００９】
また、前記課題を解決した本発明（請求項２）は、中継ノード装置が下位レイヤのパスのリソース・属性詳細情報（属性の特性詳細情報）を広告し、発信者ノード装置がこの情報に基づいて（考慮して）上位レイヤに要求するパス要求条件と下位レイヤに要求するパス要求条件の双方を含めた第２のパス要求情報を生成し、中継ノード装置に送信する構成とした。
【００１０】
後記する第２の実施形態（請求項２に対応）では、発信者ノード装置および着信者ノード装置と、中継始点ノード装置と中継終点ノード装置を含む複数のノード装置よりなる中継ネットワークを有し、前記発信者ノード装置と着信者ノード装置との間にマルチレイヤリソース・属性広告を行うネットワークに関し、例えば、下位レイヤのパス確立を行い、下位レイヤリソース・属性情報を広告する場合、（ａ）前記中継始点ノード装置が、（ａ１）下位レイヤのパス確立を行うための第１のパス要求情報を生成するパス要求情報生成手段と、（ａ２）前記パス要求情報生成手段によって生成された第１のパス要求情報を中継ネットワークの隣接ノード装置に送信するパス要求情報送信手段と、（ｂ）中継ノード装置が、（ｂ１）前記中継始点ノード装置からパス要求情報受信手段で第１のパス要求情報を受信し、（ｂ２）前記受信された第１のパス要求情報に基づいてパス確立が可能かをパス確立確認手段で確認し、（ｂ３）前記確認後、パス要求情報をパス要求情報送信手段で隣接する中継ノード装置に送信し、（ｂ４）前記パス要求情報に応じてパス確立手段でパスを確立し、（ｂ５）確立した下位レイヤのパスのリソース・属性詳細情報をリソース・属性広告手段で広告し、（ｃ）前記発信者ノード装置は、（ｃ１）前記広告されたリソース・属性詳細情報を基に、パス要求情報生成手段で上位レイヤに要求する要求条件と下位レイヤに要求する要求条件の双方を含めた第２のパス要求情報を生成し、（ｃ２）前記生成された第２のパス要求情報をパス要求情報送信手段で隣接する中継ノード装置に送信し、（ｄ）前記中継ノード装置は、（ｄ１）前記第２のパス要求情報をパス要求情報受信手段で発信者ノード装置から受信し、（ｄ２）前記受信された第２のパス要求情報に含まれる上位レイヤと下位レイヤの要求条件内容をパス確立確認手段で把握してパスが確立可能かを確認すると、（ｄ３）確立することが可能と確認された第２のパス要求情報を隣接する中継ノード装置あるいは着信者ノード装置にパス要求情報送信手段で送信し、（ｅ）前記着信者ノード装置は、（ｅ１）前記第２のパス要求情報をパス要求情報受信手段で前記中継ノード装置から受信すると、（ｅ２）前記受信された第２のパス要求情報に基づいてパスが確立可能かをパス確立確認手段で確認し、（ｅ３）前記第２のパス要求情報に応じてパス確立手段でパスを確立し、（ｆ）前記中継ノード装置は、着信者ノード装置のパス確立をうけ、パス確立手段でパスを確立させ、（ｇ）前記発信者ノード装置は、中継ノード装置のパス確立をうけ、パス確立手段でパスを確立させる。
【００１１】
この構成により、発信者ノード装置は、マルチレイヤネットワークのリソース・属性詳細情報を理解することができ、マルチレイヤネットワークの全リソース・属性の詳細情報を考慮した上で上位レイヤと下位レイヤの要求条件を含んだパス要求情報を含んだパス設定要求を行うことにより、コアネットワークのリソースを最大限に有効利用することが可能である。
【００１２】
また、前記課題を解決した本発明（請求項３）は、中継ノード装置が下位レイヤのパスのリソース・属性情報とリソース・属性識別情報（リソース詳細情報に紐付いた識別情報）を広告し、発信者ノード装置が広告されたリソース・属性情報と識別情報とを含む第２のパス要求情報を生成し、中継ノード装置に送信する構成とした。
【００１３】
後記する第３の実施形態では、発信者ノード装置および着信者ノード装置と、中継始点ノード装置と中継終点ノード装置を含む複数のノード装置よりなる中継ネットワークを有し、前記発信者ノード装置と着信者ノード装置との間にマルチレイヤリソース・属性広告を行うネットワークに関し、例えば、下位レイヤのパス確立を行い、下位レイヤリソース・属性情報を広告する場合、（ａ）前記中継始点ノード装置が、（ａ１）下位レイヤのパス確立を行うために下位レイヤのリソース・属性情報と識別情報とを含む第１のパス要求情報をパス要求情報生成手段で生成し、（ａ２）前記生成された第１のパス要求情報をパス要求情報送信手段で中継ネットワークの隣接ノード装置に送信し、（ｂ）中継ノード装置が、（ｂ１）前記第１のパス要求情報をパス要求情報受信手段で受信すると、（ｂ２）前記受信された第１のパス要求情報に基づいて前記パス確立が可能かをパス確立確認手段で確認し、（ｂ３）前記確認後、前記第２のパス要求情報を隣接する中継ノード装置にパス要求情報送信手段で送信し、（ｂ４）前記第１のパス要求情報に応じてパス確立手段でパスを確立し、（ｂ５）確立された下位レイヤのパスのリソース・属性情報とリソース・属性詳細情報に紐付くリソース・属性識別情報をリソース・属性広告手段で広告し、（ｃ）前記発信者ノード装置は、（ｃ１）広告されたリソース・属性情報と識別情報を基に、上位レイヤに要求する要求条件と下位レイヤに要求する要求条件の識別情報の双方を含めた第２のパス要求情報をパス要求情報生成手段で生成し、（ｃ２）前記生成されたパス要求情報を隣接する中継ノード装置にパス要求情報送信手段で送信し、（ｄ）前記中継ノード装置は、（ｄ１）前記発信者ノード装置から第２のパス要求情報をパス要求情報受信手段で受信し、（ｄ２）前記受信された第２のパス要求情報に含まれる識別情報により下位レイヤのリソース・属性要求条件を検索し下位レイヤへの要求条件に展開した後、パスが確立可能かをパス確立確認手段で確認し、（ｄ３）確立することが可能と確認された第２のパス要求情報を隣接する中継ノード装置あるいは着信者ノード装置にパス要求情報送信手段で送信し、（ｅ）前記着信者ノード装置は、（ｅ１）前記第２のパス要求情報を前記中継ノード装置からパス要求情報受信手段で受信し、（ｅ２）前記受信された第２のパス要求情報に基づいてパスが確立可能かをパス確立確認手段で確認し、（ｅ３）前記パス要求情報に応じてパスをパス確立手段で確立し、（ｆ）前記中継ノード装置は、着信者ノード装置のパス確立をうけ、パスをパス確立手段で確立し、（ｇ）前記発信者ノード装置は、中継ノード装置のパス確立をうけ、パスをパス確立手段確立させる。
【００１４】
この構成により、発信者ノード装置は、マルチレイヤネットワークのリソース・属性情報として上位レイヤのリソース・属性情報と下位レイヤのリソース・属性識別情報により下位レイヤのリソース・属性情報を理解することができ、マルチレイヤネットワークのリソース・属性情報を考慮した上で上位レイヤと下位レイヤのパス要求条件を含んだパス要求情報を含んだパス設定要求を行うことにより、コアネットワーク（中継ネットワーク）のリソースを有効利用することが可能である。
【発明の効果】
【００１５】
本発明は、発信者ノード装置へのリソース・属性広告により下位レイヤのリソースを有効利用することが可能となり、マルチレイヤを考慮したより効率的なネットワークを構築することが可能となる。なお、あらゆるレイヤの装置よりなる大規模光ＩＰネットワークにおいてネットワークリソースの有効利用は重要な問題であり、本発明により最適なパス確立が実現可能である。
【発明を実施するための最良の形態】
【００１６】
以下、図面を参照して本発明の、光ＩＰネットワーク、中継ノード装置、発信者ノード装置、着信者ノード装置、およびパス確立方法を実施するための最良の形態（以下、「実施形態」という）について詳細に説明する。なお、以下の説明において用いる「第１のパス要求情報」は下位レイヤのパスを確立するための要求情報、「第２のパス要求情報」は上位レイヤのパスを確立するための要求情報という意味であり、その生成・送信順序とは必ずしも一致しない。
【００１７】
≪第１の実施形態≫
まず、本発明の第１の実施形態を詳細に説明する。この第１の実施形態は、中継ノード装置が下位レイヤのパスのリソース・属性情報を広告し、発信者ノード装置がこの情報を基に、上位レイヤに要求するパス要求条件を含めた第２のパス要求情報を生成し、中継ノード装置に送信する実施形態である。
図１は、本発明の第１の実施形態に係るマルチレイヤリソース・属性広告を行うネットワークのネットワーク構成図である。
【００１８】
図１に示すように、マルチレイヤネットワークリソース・属性広告を行うネットワーク１０００は、中継ネットワーク１０を構成する中継ノード装置１００と、中継ネットワーク１０と通信可能に接続された発信者ノード装置２００と着信者ノード装置３００とを含むように構成される。
【００１９】
なお、中継ノード装置１００（１００−１，１００−２，１００−３，１００−４）、発信者ノード装置２００、および着信者ノード装置３００は、光クロスコネクト、ルータ、やスイッチなどからなる装置であり、中継ネットワーク１０に含まれる各装置は、互いに光ファイバで接続されるようにしてもよい。中継ノード装置１００、発信者ノード装置２００、および着信者ノード装置３００は、ＲＦＣ３４７３などのＲＳＶＰ−ＴＥ（Resource reSerVatio Protocol Traffic Engineering）に準拠してパスを確立させるようになっている。ちなみに、図１では、発信者ノード装置２００、中継ノード装置１００−１、中継ノード装置１００−２、中継ノード装置１００−３および着信者ノード装置３００の間にパスが確立されている。
【００２０】
中継ノード装置１００は、中継の始点となる中継始点ノード装置１００−１と中継の終点となる中継終点ノード装置１００−４を含めた複数の中継ノード装置１００−２，１００−３にて構成され、中継ネットワーク１０における中継ノード装置１００の個数は特に限定されるものではない。
【００２１】
発信者ノード装置２００は、上位レイヤのパスを確立するためのパス要求条件を有し（その条件に応じて第２のパス要求情報を生成し）、中継ノード装置１００を経由して着信者ノード装置３００にパスを確立するようになっている。
【００２２】
中継始点ノード装置１００−１は、下位レイヤのパスを確立するためのパス要求条件を有し（その条件に応じて第１のパス要求情報を生成し）、中継終点ノード装置１００−４との間にパスを確立するようになっている。なお、中継始点ノード装置１００−１は、自身が有する前記した下位レイヤのパス要求条件ではなく、発信者ノード装置２００からの下位レイヤのパス要求条件をうけ、下位レイヤのパスを中継終点ノード装置１００−４との間に確立してもよい。
【００２３】
中継始点ノード装置１００−１は、発信者ノード装置２００によって送信されたパス要求情報（第２のパス要求情報）を受信し、受信した第２のパス要求情報に応じて中継ネットワークの経路を確認する。中継始点ノード装置１００−１は、中継ノード装置１００を経由し中継終点ノード装置１００−４までの全経路を決定してもよいし、隣接ノードをどの中継ノード装置１００にするかを決めるだけでもよい。
【００２４】
（中継ノード装置の構成）
図２は、本発明の第１の実施形態に係る中継ノード装置のブロック構成図である。図２に示すように、中継ノード装置１００は、パス要求情報生成手段１１０、パス要求情報送信手段１２０、パス確立手段１３０、リソース・属性広告手段１４０、パス要求情報受信手段１５０、パス確立確認手段１６０、広告内容検討手段１７０などを含むように構成される。なお、本実施形態では、確立したパスの広告内容を検討するのは中継始点ノード装置１００−１と中継終点ノード装置１００−４であることから、中継ノード装置１００−２や中継ノード装置１００−３といった中継ノード装置１００には、広告内容検討手段１７０は必ずしも必要ではない。また、本実施形態では、第１のパス要求情報を生成するのは中継始点ノード装置１００−１であることから、中継始点ノード装置１００−１以外の中継ノード装置１００には、パス要求情報生成手段１１０は必ずしも必要ではない。
【００２５】
パス要求情報生成手段１１０は、下位レイヤのパスを設定するためのパス要求条件に基づいて第１のパス要求情報を生成する。生成した第１のパス要求情報を含むメッセージは、パス要求情報送信手段１２０が隣接する中継ノード装置１００（図１では中継ノード装置１００−２）に送信する。
【００２６】
中継ノード装置１００のパス確立手段１３０により確立されたパスは、広告内容検討手段１７０により上位レイヤに対する広告内容をある定義に基づき処理され、リソース・属性広告手段１４０により広告される。
【００２７】
例えば、この時（図１参照）、中継始点ノード装置１００−１により要求された“１＋１ Ｄｅｄｉｃａｔｅｄ ＬＳＰ Ｐｒｏｔｅｃｔｉｏｎ”＋“１：１ Ｄｅｄｉｃａｔｅｄ Ｌｉｎｋ Ｐｒｏｔｅｃｔｉｏｎ”という要求により生成されたパスは、広告内容検討手段１７０により、上位レイヤに対しては、“１＋１ Ｄｅｄｉｃａｔｅｄ Ｌｉｎｋ Ｐｒｏｔｅｃｔｉｏｎ”としてリソース・属性広告手段１４０により広告される。そのため、上位レイヤ装置からは、中継始点ノード装置１００−１と中継終点ノード装置１００−４の間には、“１＋１ Ｄｅｄｉｃａｔｅｄ Ｌｉｎｋ Ｐｒｏｔｅｃｔｉｏｎ”特性をもったパスが存在するように見える。
【００２８】
パス要求情報受信手段１５０は、パスを確立させるためのパス要求情報（第１のパス要求情報・第２のパス要求情報）を、隣接するノード装置（発信者ノード装置２００や隣接する中継ノード装置１００）から受信し、受信したパス要求情報をパス確立確認手段１６０に出力するようになっている。
【００２９】
パス確立確認手段１６０は、パス要求情報（第１のパス要求情報・第２のパス要求情報）に基づいて中継ノード装置１００にてパスが確立可能かを確認する。この際、中継ネットワーク１０内に下位レイヤを含んだパスが存在する場合は、ある定義に基づき上位レイヤへの要求を下位レイヤへの要求に変換してもよい。
【００３０】
（発信者ノード装置）
図３は、本発明の第１の実施形態に係る発信者ノード装置のブロック構成図である。図３に示すように、発信者ノード装置２００は、パス要求情報生成手段２１０、パス要求情報送信手段２２０、パス確立手段２３０などを含むように構成される。
【００３１】
パス要求情報生成手段２１０は、着信者ノード装置３００との間のパス確立を行うにあたり、発信者ノード装置２００が要求することに基づいて第２のパス要求情報を生成し、パス要求情報送信手段２２０に出力するようになっている。なお、この第１の実施形態での第２のパス要求情報は、前記したリソース・属性広告手段１４０により広告されたリソース・属性情報に基づいて（考慮して）上位レイヤに要求するパス要求条件を含めたパス要求情報になる。このため、発信者ノード装置２００は、中継始点ノード装置１００−１が送信するリソース・属性広告（リソース・属性情報）を受信する手段を備えるものとする。
【００３２】
パス要求情報送信手段２２０は、発信者ノード装置２００が中継ネットワーク１０に対してパス要求を行うものである。例えば（図１参照）、発信者ノード装置２００は、中継ネットワーク１０の中継始点ノード装置１００−１に対し、第２のパス要求情報をのせたＰＡＴＨメッセージを送信するものである。
【００３３】
パス確立手段２３０は、発信者ノード装置２００（自身）が要求するパス要求条件にてパスを確立するものである。例えば、発信者ノード装置２００が着信者ノード装置３００に対して、パス要求を行い、発信者ノード装置２００のパス要求条件により中継ネットワーク１０を経由して、着信者ノード装置３００までＰＡＴＨメッセージを送信し、パス要求条件によりパス確立が可能であることを全ノードが確認し、ＲＥＳＶメッセージを着信者ノード装置３００から中継ネットワーク１０を経由して送信し、発信者ノード装置２００がＲＥＳＶメッセージを受取ることによりパス確立が可能であることを把握し、パスを確立するものである。
【００３４】
（受信者ノード装置）
図４は、本発明の第１の実施形態に係る着信者ノード装置のブロック構成図である。図４に示すように、着信者ノード装置３００は、パス要求情報受信手段３１０、パス確立確認手段３２０、パス確立手段３３０などを含むように構成される。
【００３５】
パス要求情報受信手段３１０は、中継終点ノード装置１００−４が送信する第２のパス要求情報を受信する手段である。パス確立確認手段３２０は、受信した第２のパス要求情報のパス要求条件にてパス確立可能かを確認する手段である。パス確立手段３３０は、前記確認内容にてパスを確立する手段である。なお、受信者ノード装置３００は、前記したＲＥＳＥＶメッセージの生成・送信や、後記する図５に示されるリソース・属性広告（リソース・属性情報）を受信する手段も備えるものとする。
【００３６】
（ネットワークの処理の流れ）
以下、本発明の第１の実施形態に係るマルチレイヤリソース・属性広告を行うネットワークの処理の流れについて、図面を参照して説明する。
【００３７】
［下位レイヤのパス確立］
図５は、本発明の第１の実施形態に係る下位レイヤのパス確立を行う際の、マルチレイヤリソース・属性広告を行うネットワークの処理の流れを示すフローチャートである。この図５に沿って、下位レイヤのパス確立を説明する（適宜図１など参照）。
【００３８】
まず、中継始点ノード装置１００−１は、パス要求情報生成手段１１０によって、下位レイヤのパス確立を行うための第１のパス要求情報を生成する。たとえば、中継始点ノード装置１００−１は、“１＋１ Ｄｅｄｉｃａｔｅｄ ＬＳＰ Ｐｒｏｔｅｃｔｉｏｎ” ＋“１＋１ Ｄｅｄｉｃａｔｅｄ Ｌｉｎｋ Ｐｒｏｔｅｃｔｉｏｎ”という第１のパス要求情報を生成する。
【００３９】
パス要求情報送信手段１２０によって第１のパス要求情報を送信する（Ｓ１０１）。隣接する中継ノード装置（図５では中継終点ノード装置１００−４）は、そのパス要求情報受信手段１５０により送信された第１のパス要求情報を受信し（Ｓ１０２）、パス確立確認手段により、中継始点ノード装置１００−１のパス要求条件（第１のパス要求情報）でのパスを確立可能かを確認し（Ｓ１０３）、パス確立が可能であることを確認（Ｓ１０５）した後、パス確立手段１３０によりパスを確立する（Ｓ１０６）。なお、ステップＳ１０５での判断は、要求を満たすＰｒｏｔｅｃｔｉｏｎ Ｌｉｎｋが存在する場合（Ｙｅｓ）はパスを確立し、存在しない場合（Ｎｏ）は、パスを確立することなく処理を終了するというものである。
【００４０】
中継始点ノード装置１００−１では、自身が生成した第１のパス要求情報（パス要求条件）に基づき、パス確立手段１３０によってパスを確立する（Ｓ１０９）。
【００４１】
ステップＳ１０６およびステップＳ１０９でパス確立後は、中継始点ノード装置１００−１と中継終点ノード装置１００−４は、その広告内容検討手段１７０により、確立したパスをどのように広告するかをある定義に基づき検討する（Ｓ１０７，Ｓ１１０）。例えば、下位レイヤにて“１＋１ Ｄｅｄｉｃａｔｅｄ ＬＳＰ Ｐｒｏｔｅｃｔｉｏｎ” ＋“１＋１ Ｄｅｄｉｃａｔｅｄ Ｌｉｎｋ Ｐｒｏｔｅｃｔｉｏｎ”として生成されたパスは、上位レイヤに対しては“１＋１ Ｄｅｄｉｃａｔｅｄ Ｌｉｎｋ Ｐｒｏｔｅｃｔｉｏｎ”として、始点ノードは中継始点ノード装置１００−１、終点ノードは中継終点ノード装置１００−４とする。
【００４２】
中継始点ノード装置１００−１と中継終点ノード装置１００−４は、リソース・属性広告手段１４０によって、広告内容検討手段１７０によりある定義に基づき処理されたリソース・属性広告を行う（Ｓ１０８、Ｓ１１１）。そして、発信者ノード装置２００と着信者ノード装置３００が、このリソース・属性広告を受信する。
【００４３】
［上位レイヤのパス確立］
図６は、本発明の第１の実施形態に係る上位レイヤのパス確立を行う際の、マルチレイヤリソース・属性広告を行うネットワークの処理の流れを示すフローチャートである。この図６に沿って、上位レイヤのパス確立を説明する（適宜図１など参照）。
【００４４】
まず、発信者ノード装置２００は、パス要求情報生成手段２１０により第２のパス要求情報を生成する。この生成の際、発信者ノード装置２００は、レイヤについて検討する必要はなく、当該発信者ノード装置２００（自身）が要求するレイヤにおけるパス要求条件でのパス確立要求を行えばよい。なお、この第１の実施形態での第２のパス要求情報は、前記したとおり、リソース・属性広告手段１４０により広告されたリソース・属性情報を基に（前記ステップＳ１１１）、上位レイヤに要求する要求条件を含めたパス要求情報となる。
【００４５】
パス要求情報送信手段２２０により第２のパス要求情報を送信し（Ｓ２０１）、中継始点ノード装置１００−１は、パス要求情報受信手段１５０により第２のパス要求情報を受信し（Ｓ２０２）、パス確立確認手段１６０により、発信者ノード装置２００の第２のパス要求情報（パス要求条件）でのパスを確立可能かを確認する（Ｓ２０３）。この際、発信者ノード装置２００からの第２のパス要求情報のパス要求条件を下位レイヤのパス要求条件に当てはめ、パス確立が可能であるか確認する（パス確立確認＋下位レイヤ情報 マッピング）。
【００４６】
中継ノード装置（図６では中継始点ノード装置１００−１）は、パス確立が可能と判断すると、隣接ノード装置（図６では中継終点ノード装置１００−４）へパス要求情報送信手段１２０によって、発信者ノード装置２００から受信した第２のパス要求情報を含んだメッセージを送信する（Ｓ２０４）。なお、このとき、下位レイヤのリソース・属性要求条件を中継ノード装置１００にて付与してもよい。
【００４７】
中継始点ノード装置１００−１に隣接するノード装置（図６では中継終点ノード装置１００−４）は、送信された第２のパス要求情報をパス要求情報受信手段１５０によって受信し（Ｓ２０５）、パス確立確認手段により第２のパス要求情報のパス要求条件に基づいてパスが確立可能かを確認する（Ｓ２０６）。パス確立可能と確認すると、パス要求情報送信手段１２０によって、第２のパス要求情報を含んだＰＡＴＨメッセージを、隣接するノード装置（図６では着信者ノード装置３００）に送信する（Ｓ２０７）。
【００４８】
着信者ノード装置３００は、中継終点ノード装置１００−４から送信された第２のパス要求情報を、パス要求情報受信手段３１０によって受信し（Ｓ２０８）、パス確立確認手段３２０によって第２のパス要求情報のパス要求条件にてパス確立可能かどうかを確認する（Ｓ２０９）。パス確立可能と確認すると、パス確立手段３３０によって、中継終点ノード装置１００−４との間にパスを確立する（Ｓ２１０）。これにより、各ノード装置（１００−４，１００−１，２００）がパスを確立する（Ｓ２１１，Ｓ２１２，Ｓ２１３）。
【００４９】
以上説明したように、本発明の第１の実施形態に係るマルチレイヤリソース・属性広告を行うネットワークは、中継ノード装置１００（１００−１，１００−４）が、下位レイヤのネットワークのリソース・属性を考慮した広告を実施することにより、中継ネットワーク１０を可能な限り効率的に利用することができるようになる。
【００５０】
なお、各ノード装置（１００，２００，３００）は、プログラムを実行するための構成として、ＣＰＵ（Central Processing Unit）、ＲＡＭ（Random Access Memory）、ＲＯＭ（Read Only Memory）、外部記憶装置などを備えており、ＣＰＵがＲＯＭや外部記憶装置に記憶されたプログラムやデータをＲＡＭ上に読み出し、このプログラムを実行することで、各ノード装置（１００，２００，３００）の各手段を構成し、または各手段を機能させるものとする。この点は、以下の実施形態でも同じである。
【００５１】
≪第２の実施形態≫
次に、本発明の第２の実施形態を説明する。なお、この第２の実施形態は、中継ノード装置が下位レイヤのパスのリソース・属性詳細情報（属性の特性詳細情報）を広告し、発信者ノード装置がこの情報に基づいて（考慮して）上位レイヤに要求するパス要求条件と下位レイヤに要求するパス要求条件の双方を含めた第２のパス要求情報を生成し、中継ノード装置に送信する実施形態である。この第２の実施形態に係る処理のうち、本発明の第１の実施形態に係る構成や処理と同一性のあるものについては、同一の符号を付し、それぞれの説明を省略する。
図７は、本発明の第２の実施形態に係る中継ノード装置のブロック構成図である。
【００５２】
図７に示すように、中継ノード装置１００は、パス要求情報生成手段１１０、パス送信手段１２０、パス確立手段１３０、リソース・属性広告手段１４０、パス要求情報受信手段１５０、パス確立確認手段１６０を含むように構成される。なお、本発明の第２の実施形態に係る中継ノード装置１００を構成する手段は、本発明の第１の実施形態に係る中継ノード装置１００を構成する手段から広告内容検討手段１７０（図２参照）を除いた構成となっている。これは、下位レイヤのリソース・属性詳細情報を広告するため（後記する図８のステップＳ１１１）、第１の実施形態のように広告内容を検討する必要がないためである。
【００５３】
（ネットワークの処理の流れ）
以下、本発明の第２の実施形態に係るマルチレイヤリソース・属性広告を行うネットワークの処理の流れについて、図面を参照して説明する。
【００５４】
［下位レイヤのパス確立］
図８は、本発明の第２の実施形態に係る下位レイヤのパス確立を行う際の、マルチレイヤリソース・属性広告を行うネットワークの処理の流れを示すフローチャートである。この図８は、第１の実施形態の図５と比較して解るように、図８には、広告の検討を行うステップＳ１０７とステップＳ１１０が存在しない。これは、中継ノード装置１００（図８では中継始点ノード装置１００−１と中継終点ノード装置１００−４）に、広告内容検討手段が存在しないことに対応したものである。
【００５５】
［上位レイヤのパス確立］
図９は、本発明の第２の実施形態に係る上位レイヤのパス確立を行う際の、マルチレイヤリソース・属性広告を行うネットワークの処理の流れを示すフローチャートである。この図９は、第１の実施形態の図６と比較して解るように、図９のステップＳ２０３が図６のステップＳ２０３とは異なり、下位レイヤ情報のマッピングなどは行わない。第２の実施形態においては、下位レイヤのリソース・属性詳細情報を広告するため、第１の実施形態における広告内容を検討したり、発信者ノード装置２００からのパス要求情報を下位レイヤ情報に読み替えたりする必要はないためである。
【００５６】
なお、第２の実施形態では、ステップＳ２０１で発信者ノード装置２００が生成して送信する第２のパス要求情報は、前記したとおり、ステップＳ１１１で広告されたリソース・属性詳細情報（下位レイヤのリソース・属性の特性詳細情報）に基づいて上位レイヤに要求する要求条件と下位レイヤに要求する要求条件の双方を含めたパス要求情報である。
【００５７】
以上のように、本発明の第２の実施形態に係るマルチレイヤリソース・属性広告を行うネットワークは、中継ノード装置１００が、下位レイヤのネットワークのリソース・属性情報詳細を広告することにより、発信者ノード装置２００は、下位レイヤリソース・属性状況を考慮したパス要求を実施することが可能となり、中継ネットワーク１０のリソースを最大限効率的に利用することができるようになる。
【００５８】
≪第３の実施形態≫
続いて、本発明の第３の実施形態を説明する。なお、この第３の実施形態は、中継ノード装置が下位レイヤのパスのリソース・属性情報とリソース・属性識別情報（リソース・属性詳細情報に紐付いた識別情報、単に「識別情報」ともいう）を広告し、発信者ノード装置が広告されたリソース・属性情報と識別情報とを含む第２のパス要求情報を生成し、中継ノード装置に送信する実施形態である。この第３の実施形態に係る処理のうち、本発明の第１の実施形態に係る構成や処理と第２の実施形態に係る構成や処理と同一性のあるものについては、同一の符号を付し、それぞれの説明を省略する。
図１０は、本発明の第３の実施形態に係る中継ノード装置のブロック構成図である。
【００５９】
図１０に示すように、中継ノード装置１００は、パス要求情報送信手段１２０、パス確立手段１３０、リソース・属性広告手段１４０、パス要求情報受信手段１５０、パス確立確認手段１６０、パス要求情報生成手段１８０、第１のリソース・属性識別情報確認手段１９０、第２のリソース・属性識別確認手段１９５を含むように構成される。
【００６０】
パス要求情報生成手段１８０は、下位レイヤのリソース・属性を考慮したリソース識別情報も含めた第１のパス要求情報（パス要求条件）を生成することを備えている。例えば、下位レイヤにて“１＋１ Ｄｅｄｉｃａｔｅｄ ＬＳＰ Ｐｒｏｔｅｃｔｉｏｎ” ＋ “１＋１ Ｄｅｄｉｃａｔｅｄ Ｌｉｎｋ Ｐｒｏｔｅｃｔｉｏｎ”はＰｒｉｏｒｉｔｙ Ｈｉｇｈとし、パス要求メッセージ（第１のパス要求情報）にＰｒｉｏｒｉｔｙを含めることを意味している。
【００６１】
第１のリソース・属性識別情報確認手段１９０は、広告するリソース情報に、リソース・属性識別情報を含めるために、リソース・属性織別情報を確認する。この結果、例えば（図１参照）、中継始点ノード装置１００−１と中継終点ノード装置１００−４の間に、１＋１ Ｌｉｎｋ Ｐｒｏｔｅｃｔｉｏｎのパスが存在し、かつＰｒｉｏｒｉｔｙ Ｈｉｇｈであるという情報が広告される。
【００６２】
第２のリソース・属性識別情報確認手段１９５は、発信者ノード装置２００から送信されたメッセージ（第２のパス要求情報）にリソース・属性識別情報を示すＰｒｉｏｒｉｔｙが含まれていた場合、Ｐｒｉｏｒｉｔｙと下位レイヤリソース・属性情報をＭａｐｐｉｎｇする。これにより、Ｐｒｉｏｒｉｔｙ Ｈｉｇｈが含まれていた場合、下位レイヤへのパス要求条件は“１＋１ Ｄｅｄｉｃａｔｅｄ ＬＳＰ Ｐｒｏｔｅｃｔｉｏｎ” ＋ “１：１ Ｄｅｄｉｃａｔｅｄ Ｌｉｎｋ ｐｒｏｔｅｃｔｉｏｎ”であると理解し、パス確立確認手段１６０にて、パスが確立可能かを確認することが可能となる。
【００６３】
（ネットワークの処理の流れ）
以下、本発明の第２の実施形態に係るマルチレイヤリソース・属性広告を行うネットワークの処理の流れについて、図面を参照して説明する。
【００６４】
［下位レイヤのパス確立］
図１１は、本発明の第３の実施形態に係る下位レイヤのパス確立を行う際の、マルチレイヤリソース・属性広告を行うネットワークの処理の流れを示すフローチャートである。前記したとおり、本発明の第３の実施形態に係る処理のうち、本発明の第１の実施形態に係る処理と同一のものについては、同一の符号を付しそれぞれの説明を省略することから、ステップＳ１１２からステップＳ１１４について説明する（適宜図１など参照）。
【００６５】
中継ノード装置１００（図１１では中継始点ノード装置１００−１）は、パス要求情報生成手段１８０により第１のパス要求情報を生成する際に、下位レイヤのリソース・属性を示す情報も含める（Ｓ１１２）。これにより、パス設定時に各ノード装置（１００，２００，３００）がリソース・属性内容を把握することが可能となる。また、パスが確立された際には、パス設定時に提示したリソース・属性情報も含めて広告するために、第１のリソース・属性識別情報確認手段１９０によりリソース・属性識別情報を確認する（Ｓ１１３，Ｓ１１４）。これにより、リソース・属性識別情報も含めたリソース・識別情報が広告可能となる。
【００６６】
［上位レイヤのパス確立］
図１２は、本発明の第３の実施形態に係る下位レイヤのパス確立を行う際の、マルチレイヤリソース・属性広告を行うネットワークの処理の流れを示すフローチャートである。ここでも、第１の実施形態と同じ処理については説明を省略することから、ステップＳ２１４の処理を説明する。
【００６７】
上位レイヤのパス確立について、発信者ノード装置２００から第２のパス要求情報を受信した中継ノード装置（図１２では中継始点ノード装置１００−１）は、第２のリソース・属性識別情報確認手段１９５によって、第２のパス要求情報にリソース・属性識別情報が含まれているかを確認し、含まれていた場合、下位レイヤのリソース内容とマッピングを行い（Ｓ２１４）、パス要求が確立可能かを確認する（Ｓ２０３）。つまり、中継始点ノード装置１００−１は、第２のパス要求情報に識別情報が含まれていた場合、例えば、自身が有する「属性詳細情報と識別情報の対応テーブル」から、この識別情報に紐付く下位レイヤのリソース・属性詳細情報（要求条件）を検索して取得し、この取得したリソース・属性詳細情報に基づきパスが確率可能かを確認する。
【００６８】
以上説明したように、本発明の第３の実施形態に係るマルチレイヤリソース・属性広告を行うネットワークは、リソース・属性詳細情報を広告しないので、全体として情報量を減らして効率的な広告を実施し、かつ下位レイヤのリソースの有効利用を実施することが可能である。
【図面の簡単な説明】
【００６９】
【図１】本発明の第１の実施形態に係るマルチレイヤリソース・属性広告を行うネットワークのネットワーク構成図である。
【図２】本発明の第１の実施形態に係る中継ノード装置のブロック構成図である。
【図３】本発明の第１の実施形態に係る発信者ノード装置のブロック構成図である。
【図４】本発明の第１の実施形態に係る着信者ノード装置のブロック構成図である。
【図５】本発明の第１の実施形態に係る下位レイヤのパス確立を行う際の、マルチレイヤリソース・属性広告を行うネットワークの処理の流れを示すフローチャートである。
【図６】本発明の第１の実施形態に係る上位レイヤのパス確立を行う際の、マルチレイヤリソース・属性広告を行うネットワークの処理の流れを示すフローチャートである。
【図７】本発明の第２の実施形態に係る中継ノード装置のブロック構成図である。
【図８】本発明の第２の実施形態に係る下位レイヤのパス確立を行う際の、マルチレイヤリソース・属性広告を行うネットワークの処理の流れを示すフローチャートである。
【図９】本発明の第２の実施形態に係る上位レイヤのパス確立を行う際の、マルチレイヤリソース・属性広告を行うネットワークの処理の流れを示すフローチャートである。
【図１０】本発明の第３の実施形態に係る中継ノード装置のブロック構成図である。
【図１１】本発明の第３の実施形態に係る下位レイヤのパス確立を行う際の、マルチレイヤリソース・属性広告を行うネットワークの処理の流れを示すフローチャートである。
【図１２】本発明の第３の実施形態に係る下位レイヤのパス確立を行う際の、マルチレイヤリソース・属性広告を行うネットワークの処理の流れを示すフローチャートである。
【符号の説明】
【００７０】
１０    …    中継ネットワーク
１００  …    中継ノード装置
１００−１  …中継始点ノード装置
１００−４  …中継終点ノード装置
１１０  …    パス要求情報生成手段（第1の実施形態、第２の実施形態）
１２０  …    パス要求情報送信手段
１３０  …    パス確立手段
１４０  …    リソース・属性広告手段
１５０  …    パス要求情報受信手段
１６０  …    パス確立確認手段
１７０  …    広告内容検討手段（第１の実施形態）
１８０  …    パス要求情報生成手段（第３の実施形態）
１９０  …    第１のリソース・属性識別情報確認手段（第３の実施形態）
１９５  …    第２のリソース・属性識別情報確認手段（第３の実施形態）
２００  …    発信者ノード装置
２１０  …    パス要求情報生成手段
２２０  …    パス要求情報送信手段
２３０  …    パス確立手段
３００  …    着信者ノード装置
３１０  …    パス要求情報受信手段
３２０  …    パス確立確認手段
３３０  …    パス確立手段
【図１】
2005252405.tif 000003
【図２】
2005252405.tif 000004
【図３】
2005252405.tif 000005
【図４】
2005252405.tif 000006
【図５】
2005252405.tif 000007
【図６】
2005252405.tif 000008
【図７】
2005252405.tif 000009
【図８】
2005252405.tif 000010
【図９】
2005252405.tif 000011
【図１０】
2005252405.tif 000012
【図１１】
2005252405.tif 000013
【図１２】
2005252405.tif 000014